(57)【要約】【課題】自動車やオフィスの椅子などの足載せ台に足を載せたときの不快感がなく、足の蒸れを解消し、臭いを早期に解消する空調座席装置を提供する。【解決手段】空調座席装置は、座席シート１１およびシートバック３０からなるシート本体と、足載せ台４０と、足載せ台４０に空気を送風する送風機１２を備え、足載せ台４０は空気を通過させる表皮４１と、送風機１２から送風路１３、１８、４５を介して送風された空気を表皮４１に送風する送風路４３を有する。足載せ台４０に送風された空気の流れによって足の蒸れが解消され、臭いも解消することができる。【選択図】        図１
2005253705.tif 000002
【特許請求の範囲】
【請求項１】
座席シートおよびシートバックを備えたシート本体と、足載せ台と、前記足載せ台に空気を送風する送風機を備え、前記足載せ台は空気を通過させる表皮と、前記送風機から送風された空気を前記表皮に送風する送風路を有することを特徴とする空調座席装置。
【請求項２】
前記足載せ台の表皮を通気性部材で構成し、前記送風機から送風された空気を前記表皮から外部に放出させることを特徴とする請求項１に記載の空調座席装置。
【請求項３】
前記足載せ台の表皮に前記送風機から送風された空気を吹き出す噴出口を形成し、前記噴出口から前記空気を噴出させることを特徴とする請求項１に記載の空調座席装置。
【請求項４】
前記噴出口が複数個形成されたことを特徴とする請求項３に記載の空調座席装置。
【請求項５】
前記足載せ台の足載せ面に溝を設け、前記噴出口から噴出した空気を前記溝に流して前記足載せ面の表面に広げることを特徴とする請求項３に記載の空調座席装置。
【請求項６】
前記送風機の吸い込み口を前記足載せ台の足載せ面に隣接して設けたことを特徴とする請求項１から請求項５のいずれかに記載の空調座席装置。
【請求項７】
前記送風機で送風された空気の温度を調整する温度調整手段を設けたことを特徴とする請求項１から請求項６のいずれかに記載の空調座席装置。
【請求項８】
前記送風機で送風された空気を除湿する除湿手段を設けたことを特徴とする請求項１から請求項６のいずれかに記載の空調座席装置。
【請求項９】
前記除湿手段が水蒸気を吸着する吸着材と、前記吸着材を加熱する加熱手段を備えたことを特徴とする請求項８に記載の空調座席装置。
【請求項１０】
前記加熱手段に、白金や遷移金属の酸化物などの触媒を担持したことを特徴とする請求項９に記載の空調座席装置。
【請求項１１】
前記吸着材を前記加熱手段の表面に担持させたことを特徴とする請求項９又は請求項１０に記載の空調座席装置。
【請求項１２】
前記足載せ台に送風された空気を脱臭する脱臭手段を設けたことを特徴とする請求項１から請求項１１のいずれかに記載の空調座席装置。
【請求項１３】
前記脱臭手段がオゾン発生手段であることを特徴とする請求項１２に記載の空調座席装置。
【請求項１４】
前記送風機で送風された空気にマイナスイオンを付加するマイナスイオン発生手段を設けたことを特徴とする請求項１から請求項１１のいずれかに記載の空調座席装置。
【請求項１５】
シート本体と、足載せ台と、前記シート本体および前記足載せ台に空気を送風する送風機を備え、前記シート本体および前記足載せ台は各々空気を通過させる表皮と、前記送風機から送風された空気を前記表皮に送風する送風路を有することを特徴とする空調座席装置。
【発明の詳細な説明】
【技術分野】
【０００１】
本発明は、自動車やオフィスの椅子などに使用される足載せ台を設けた座席シートに空気調和を行う空調座席装置に関する。
【背景技術】
【０００２】
従来、自動車用座席のシートバックに足載せ台としてのオットマンを一体化させて連動させ、オットマンの位置を連動位置から独立させて角度調整する構成の車両用シートが提案されている（たとえば、特許文献１参照）。
また、レール材に沿って前後に移動可能なシートの前方位置に足載せ台を設け、足載せ台をレール材に対して移動可能に支持した構成のシート機構が提案されている（たとえば、特許文献２参照）。
【特許文献１】特開平１１−２５３２７１号公報（請求項１、（００１４）など）
【特許文献２】特許３３１７２１８号公報（請求項１、（０００５）など）
【発明の開示】
【発明が解決しようとする課題】
【０００３】
自動車は夏季に駐車したとき日射により座席や車内の温度が５０〜６０℃の高温になり、使用者にとって非常に不快である。また、汗をかいている使用者にとっては、高温による不快だけでなく、汗を一層かくことにより蒸れを感じたり、汗などによる臭いが発生して不快感は一層強くなる。このような不快感は座席シートのみならず、足載せ台においても発生し、特に足は人体の中で蒸れによる臭いの強い部分であるので臭いによる不快感は特に強い。一方、冬季には座席や足載せ台の温度が低温になり、やはり使用者にとって非常に不快である。
オフィスの椅子などにおける足載せ台は自動車の座席装置のような高温や低温になることはないが、足載せ台に靴を脱いで足を置くと、靴を履いていた足の蒸れにより発生する臭いが直接オフィス室内に発散されてしまい、オフィス内に不快感が漂う。この傾向は夏季に著しいが、最近ではブーツを履く冬季においても無視できない。
特許文献１に記載されている車両用シートおよび特許文献２に記載されているシート機構は、使用者が座席に座ったときの足載せの使用勝手がよい点で優れているが、このような足載せ台に足を載せたときの不快感や臭い対策についての考慮はなされていない。
【０００４】
本発明はこのような課題を解決するもので、自動車やオフィスの椅子などの足載せ台に足を載せたときの不快感がなく、足の蒸れを解消し、臭いを早期に解消する空調座席装置を提供することを目的とする。
また、夏季に駐車した自動車などにおける高温による不快感をなくすとともに、衣類が吸収した汗を急速に発散させて汗による不快感も解消することができる空調座席装置を提供することを目的とする。
【課題を解決するための手段】
【０００５】
請求項１記載の本発明の空調座席装置は、座席シートおよびシートバックを備えたシート本体と、足載せ台と、前記足載せ台に空気を送風する送風機を備え、前記足載せ台は空気を通過させる表皮と、前記送風機から送風された空気を前記表皮に送風する送風路を有することを特徴とする。
請求項２記載の本発明は、請求項１に記載の空調座席装置において、前記足載せ台の表皮は通気性部材で構成し、前記送風機から送風された空気を前記表皮から外部に放出させることを特徴とする。
請求項３記載の本発明は、請求項１に記載の空調座席装置において、前記足載せ台の表皮に前記送風機から送風された空気を吹き出す噴出口を形成し、前記噴出口から前記空気を噴出させることを特徴とする。
請求項４記載の本発明は、請求項３に記載の空調座席装置において、前記噴出口が複数個形成されたことを特徴とする。
請求項５記載の本発明は、請求項３に記載の空調座席装置において、前記足載せ台の足載せ面に溝を設け、前記噴出口から噴出した空気を前記溝に流して前記足載せ面の表面に広げることを特徴とする。
請求項６記載の本発明は、請求項１から請求項５のいずれかに記載の空調座席装置において、前記送風機の吸い込み口を前記足載せ台の足載せ面に隣接して設けたことを特徴とする。
請求項７記載の本発明は、請求項１から請求項６のいずれかに記載の空調座席装置において、前記送風機で送風された空気の温度を調整する温度調整手段を設けたことを特徴とする。
請求項８記載の本発明は、請求項１から請求項６のいずれかに記載の空調座席装置において、前記送風機で送風された空気を除湿する除湿手段を設けたことを特徴とする。
請求項９記載の本発明は、請求項８に記載の空調座席装置において、前記除湿手段が水蒸気を吸着する吸着材と、前記吸着材を加熱する加熱手段を備えたことを特徴とする。
請求項１０記載の本発明は、請求項９に記載の空調座席装置において、前記加熱手段に、白金や遷移金属の酸化物などの触媒を担持したことを特徴とする。
請求項１１記載の本発明は、請求項９又は請求項１０に記載の空調座席装置において、前記吸着材を前記加熱手段の表面に担持させたことを特徴とする。
請求項１２記載の本発明は、請求項１から請求項１１のいずれかに記載の空調座席装置において、前記足載せ台に送風された空気を脱臭する脱臭手段を設けたことを特徴とする。
請求項１３記載の本発明は、請求項１２に記載の空調座席装置において、前記脱臭手段がオゾン発生手段であることを特徴とする。
請求項１４記載の本発明は、請求項１から請求項１１のいずれかに記載の空調座席装置において、前記送風機で送風された空気にマイナスイオンを付加するマイナスイオン発生手段を設けたことを特徴とする。
請求項１５記載の本発明の空調座席装置は、シート本体と、足載せ台と、前記シート本体および前記足載せ台に空気を送風する送風機を備え、前記シート本体および前記足載せ台は各々空気を通過させる表皮と、前記送風機から送風された空気を前記表皮に送風する送風路を有することを特徴とする。
【発明の効果】
【０００６】
本発明によれば、空調座席装置の足載せ台の表皮が空気を通過させる性質を有しており、この足載せ台に送風機から空気を送風して表皮から放射させるので、足載せ台に送風される空気の流れによって足の蒸れが解消され、臭いも解消することができる。また、足載せ台の表面温度が速やかに調整されるので、足載せ台の夏季における高温あるいは冬季における低温の不快感を解消することができる。
【発明を実施するための最良の形態】
【０００７】
本発明の第１の実施の形態による空調座席装置は、足載せ台の表皮が空気を通過させる性能を有し、送風機から送風された空気を前記表皮に送風するものである。本実施の形態によれば、足載せ台に送風される空気の流れによって足の蒸れが解消され、臭いも解消することができる。また、足載せ台の表面温度が速やかに調整されるので、足載せ台の夏季における高温あるいは冬季における低温の不快感を解消することができる。
本発明の第２の実施の形態は、第１の実施の形態による空調座席装置において、足載せ台の表皮を通気性部材で構成し、送風機から送風された空気を表皮から外部に放出させるものである。本実施の形態によれば、足載せ台に送風される空気が足載せ台の内部から表皮を通って外部に送風されるので、足載せ台の内部から表面に均一に空気が流れ、しかも足載せ台に載せた足の裏に空気が当たるので、足に心地よい冷涼感を感じるとともに、足の蒸れや臭いを速やかに解消させることができる。
本発明の第３の実施の形態は、第１の実施の形態による空調座席装置において、足載せ台の表皮に空気を吹き出す噴出口を形成し、送風機から送風された空気をこの噴出口から噴出させるものである。本実施の形態によれば、足載せ台に送風される空気が足載せ台の内部から噴出口を通って外部に送風されるので、足載せ台の内部から表面に均一に空気が流れ、しかも足載せ台に載せた足の裏に空気が当たるので、足に心地よい冷涼感を感じるとともに、足の蒸れや臭いを一層速やかに解消させることができる。
本発明の第４の実施の形態は、第３の実施の形態による空調座席装置において、噴出口が複数個形成されたものである。本実施の形態によれば、足載せ台に送風される空気が足載せ台の内部から噴出口を通って外部に大量に送風されるので、足載せ台の内部から表面に均一に空気が流れ、しかも足載せ台に載せた足の裏に大量の空気が当たるので、足の蒸れや臭いをさらに速やかに解消させることができる。
本発明の第５の実施の形態は、第３の実施の形態による空調座席装置において、足載せ台の足載せ面に溝を設け、この溝に噴出口から噴出した空気を流して足載せ面の表面に広げるものである。本実施の形態によれば、足載せ台に送風される空気が足載せ台の表面に沿って流れるので、足載せ台に載せた足の裏面に沿って空気が流れ、足の蒸れや臭いを速やかに解消させることができる。
本発明の第６の実施の形態は、第１から第５の実施の形態による空調座席装置において、送風機の吸い込み口を足載せ台の足載せ面に隣接して設けたものである。本実施の形態によれば、足載せ台の噴出口から放出された空気を足載せ台の周りで循環させることができるので、足の臭いや汗などを室内に拡散することがない。
本発明の第７の実施の形態は、第１から第６の実施の形態による空調座席装置において、送風機で送風された空気の温度を調整する温度調整手段を設けたものである。本実施の形態によれば、足載せ台の足載せ面に流す空気の温度を夏季は冷風に、冬季は温風に調節することができるので、冷暖房を兼用することができる。
本発明の第８の実施の形態は、第１から第６の実施の形態による空調座席装置において、送風機で送風された空気を除湿する除湿手段を設けたものである。本実施の形態によれば、足載せ台の足載せ面に流す空気の湿度を除湿することができるので、夏季の高温多湿時に、足にかいた汗をすばやく蒸発させ、また、蒸れをすばやく解消させることができる。また、除湿空気によって、足の体感をさわやかにすることができる。
本発明の第９の実施の形態は、第８の実施の形態による空調座席装置において、除湿手段が水蒸気を吸着する水分吸着材と、水分吸着材を加熱する加熱手段を備えたものである。本実施の形態によれば、除湿手段の構成を簡単に、かつ、安価にすることができる。
本発明の第１０の実施の形態は、第９の実施の形態による空調座席装置において、白金や酸化鉄、酸化銅、酸化マンガン、酸化コバルトなどの遷移金属の酸化物などの触媒を加熱手段の表面に担持させたものである。本実施の形態によれば、足の臭気などの揮発性有機化合物を含んだ空気は、送風機で吸引され、加熱手段を通過する際加熱手段で加熱された触媒で酸化分解されるので、使用者の足の臭気を解消することができる。
本発明の第１１の実施の形態は、第９又は第１０の実施の形態による空調座席装置において、吸着材を加熱手段の表面に担持させたものである。本実施の形態によれば、湿度調節手段を小型に構成することができ、しかも、再生効率を向上させることができる。
本発明の第１２の実施の形態は、第１から第１１の実施の形態による空調座席装置において、足載せ台に送風された空気を脱臭する脱臭手段を設けたものである。本実施の形態によれば、足載せ台に載せられた足の臭いをすばやく解消することができる。
本発明の第１3の実施の形態は、第１２の実施の形態による空調座席装置において、脱臭手段がオゾン発生手段であるものである。本実施の形態によれば、脱臭効果を高めることができる。
本発明の第１４の実施の形態は、第１から第１１の実施の形態による空調座席装置において、送風機で送風された空気にマイナスイオンを付加するマイナスイオン発生手段を設けたものである。本実施の形態によれば、足載せ台を使用する室内にマイナスイオンを放出することができるので、使用者の気分を壮快にすることができる。
本発明の第１５の実施の形態による空調座席装置は、シート本体および足載せ台の表皮が空気を通過させる性能を有し、送風機から送風された空気をシート本体および足載せ台の各々の表皮に送風するものである。本実施の形態によれば、足載せ台に送風される空気が足載せ台の内部から表皮を通って外部に送風されるので、足載せ台の内部から表面に均一に空気が流れ、しかも足載せ台に載せた足の裏に空気が当たるので、足に心地よい冷涼感を感じるとともに、足の蒸れや臭いを速やかに解消させることができる。また、シート本体に送風される空気がシート本体の内部から表皮を通ってシート表面に送風されるので、シートの表面に均一に空気が流れ、シートの着座したときの背中や腰に空気が当たるので、身体に心地よい冷涼感を感じるとともに、身体にかいた汗を速やかに蒸発させ、汗の臭いを速やかに解消させることができる。したがって、夏季に駐車した自動車などにおける高温による不快感をなくすとともに、衣類が吸収した汗を急速に発散させて汗による不快感も解消することができる。
【実施例１】
【０００８】
以下に本発明の実施例について図面とともに詳細に説明する。なお、以下の各実施例の説明においては、本発明の空調座席装置を自動車の空調座席装置として使用した場合を例に説明するが、本発明の空調座席装置は自動車の空調座席装置以外にオフィスや自宅の椅子、あるいは野外用の椅子などにも適用することができる。
【０００９】
図１は本発明の実施例１における空調座席装置の空調運転状態の構成を示す断面側面図である。本実施例は、座席シート１１、シートバック３０および足載せ台４０を一体に構成した実施例である。
座席シート１１の下方空間に送風機１２および送風路１３を有する空調ユニット１０が配置されている。送風機１２はシロッコファンなどで構成され、外部から空気を吸い込んで送風路１３に送風する。送風路１３には、金網状のヒータ１５にゼオライトやシリカゲルなどの水分吸着剤１４を担持させた除湿部１６が配置され、水分吸着剤１４で送風機１２から送風された空気中の水蒸気を吸着して除湿する。ヒータ１５は、除湿部１６を再生させる際に水分吸着剤１４が吸着した水蒸気を蒸発させるために設けられている。再生動作の詳細は後述する。
送風路１３は座席シート１１に連通する送風路１８、シートバック３０に連通する送風路１９、および室内空間に連通する排気風路２０に分岐されており、ステッピングモータなどで制御するダンパ１７により送風路１８、１９と排気風路２０が切り換えられる。送風路１８は座席シート１１のパッド部２２を貫通して座席シート１１の表皮２１に延びる複数の通風路２３に連通しており、通風路２３は表皮２１に形成した複数の噴出口２４に連通している。表皮２１の下面のパッド部３２との間にはヒータ２５が設けられている。
シートバック３０に連通する送風路１９は、座席シート１１の構成と同様に、パッド部３２を貫通して表皮３１に延びる複数の通風路３３に連通しており、通風路３３は表皮３１に形成した複数の噴出口３４に連通している。表皮３１の裏側のパッド部３２との間にはヒータ３５が設けられている。
座席シート１１の前方には足載せ台４０が設けられている。足載せ台４０の構成は本質的に座席シート１１と同様である。すなわち、足載せ台４０の内部に送風路１８に連通した送風路４５を有している。送風路４５はパッド部４２を貫通して表皮４１に延びる複数の通風路４３に連通しており、通風路４３は表皮４１に形成した複数の噴出口４４に連通している。足載せ台４０表面には足載せ台４０に送風された空気を脱臭する脱臭装置４７が設けられる。脱臭装置４７は活性炭などの臭気吸収体やオゾン発生装置などが使用される。また、表皮４１の裏側のパッド部４２との間にはヒータ４６が設けられている。
【００１０】
つぎに動作を説明する。
空調運転時はダンパ１７を操作して排気風路２０を閉じ、送風路１８、１９を開放する。送風機１２から送風された空気は除湿部１６で除湿され、除湿された空気が送風路１８および送風路１９に供給される。送風路１８を通った除湿空気は座席シート１１の複数の通風路２３の各々に分岐され、それぞれ表皮２１に形成した複数の噴出口２４から座席シート１１の表面に噴出する。座席シート１１の噴出口２４から噴出した除湿空気は、座席シート１１に座っている乗員の臀部から大腿部裏側にかけて噴射される。夏季など座席シート１１の表皮２１が高温になっている場合は噴射された除湿空気により座席シート１１の表皮２１が冷却されて温度が下がる。また乗員が汗ばんでいる場合は、除湿空気により汗が気化乾燥されて、気化熱により乗員は涼感を感ずることができる。
一方、送風路１９を通った除湿空気はシートバック３０の複数の通風路３３の各々に分岐され、それぞれ表皮３１に形成した複数の噴出口３４からシートバック３０の表面に噴出する。シートバック３０においても同様に噴出口３４から噴出した除湿空気は、座席シート１１に座っている乗員の背部にかけて噴射される。夏季などシートバック３０の表皮３１が高温になっている場合は噴射された除湿空気によりシートバック３０の表皮が冷却されて温度が下がり、また、乗員が汗ばんでいる場合は、除湿空気により汗が気化乾燥されて、気化熱により乗員は涼感を感ずることができる。
送風路１８を通った除湿空気はさらに足載せ台４０の送風路４５に供給され、足載せ台４０の複数の通風路４３の各々に分岐され、それぞれ表皮４１に形成した複数の噴出口４４から足載せ台４０の表面に噴出する。足載せ台４０の噴出口４４から噴出した除湿空気は、座席シート１１に座っている乗員の足に噴射される。したがって、足載せ台４０の表皮４１が高温になっている場合は、噴射された除湿空気により足載せ台４０の表皮４１が冷却されて温度が下がる。また乗員の足が汗ばんでいる場合は、除湿空気により汗が気化乾燥されて、気化熱により乗員は涼感を感ずることができる。さらに、足載せ台４０に載せた足に対して空気流が下から吹き出すので、足に対して指圧効果を有する。
【００１１】
ところで、足は靴を履いている場合に蒸れにより強い臭いがしばしば発生する。このような場合において、本実施例の足載せ台４０に足を載せると、足の周囲を除湿空気が流れることにより足の蒸れが解消される。また臭いは脱臭装置４７で脱臭されて消臭される。
冬季においては一般に空気が乾燥しているので除湿部１６を作動させずに、送風機１２からの空気をそのまま座席シート１１およびシートバック３０に供給する。このとき、座席シート１１のヒータ２５およびシートバック３０のヒータ３５を作動させると、座席シート１１およびシートバック３０から噴射される空気がヒータ２５およびヒータ３５で加温されるので、座席装置が暖房される。足載せ台４０にもヒータ４６を組み込んでおけば足の加温をすることもできる。ただし、足載せ台４０での空気加温は、足の蒸れや臭いが解消された後に行うことが好ましい。
【００１２】
送風機１２からの空気を除湿部１６で長時間除湿すると、除湿部１６の水分吸着剤１４が多量の水蒸気を吸着するため除湿機能が低下する。そこで水分吸着剤１４が吸着した水蒸気を放出させて除湿部１６を再生させる必要がある。以下、除湿部１６の再生運転について図２により説明する。図２において、図１と同一部分には同一符号を付す。
除湿部１６を再生運転する場合は、図２のようにダンパ１７を操作して排気風路２０を開き、送風路１８、１９を閉じる。この状態でヒータ１５を加熱して水分吸着剤１４を加熱した状態で送風機１２から送風すると、水分吸着剤１４に吸着されている水蒸気は蒸発して空気を加湿しながら排気風路２０から車両の室内に放出される。この運転を所定時間行うと、水分吸着剤１４は水蒸気を放出して乾燥した状態になり再生される。水分吸着剤１４の乾燥状態は温度検知装置４９で水分吸着剤１４の温度を検知することにより判別することができる。再生運転が完了したときヒータ１５の加熱が停止し、ダンパ１７を操作して排気風路２０を閉じ、送風路１８、１９を開いて空調運転に備える。
【００１３】
除湿部１６は金網状のヒータ１５にゼオライトやシリカゲルなどの水分吸着剤１４を担持させて水分吸着剤１４およびヒータ１５を近接配置して両者を一体化することにより除湿部１６を小型に、かつ、再生効率を向上させることが可能である。この水分吸着剤１４およびヒータ１５の一体構成としては、金網状のヒータ１５に水分吸着剤１４を担持させる構成が簡単であるが、図３に示すように、ヒータ１５をプリーツ加工した帯状の電気抵抗発熱体で構成し、その表面に水酸化アルミニウムや硝酸セリウムなどを焼結させてアンダーコート層を形成し、その上に水分吸着体１４を担持させる構成とすることにより再生効率を更に向上させることができる。すなわち、アンダーコート層は水分吸着体１４と化学的に結合するために、密着性が向上し、ヒータ１５の熱が水分吸着体１４に直接伝わるので、水分吸着体１４の昇温速度が速い。したがって、再生運転を数１０秒程度の短時間で行うことができ、再生効率が向上する。
なお、以上の説明では、座席シート１１の表皮２１に噴出口２４、シートバック３０の表皮３１に噴出口３４を形成した場合について説明したが、座席シート１１の表皮２１およびシートバック３０の表皮３１を通気性の素材で構成し、噴出口２４、３４を形成せずに表皮２１、３１の通気性を利用して送風機１２からの除湿空気を外部に放出させるようにしても良い。
【実施例２】
【００１４】
図４は本発明の実施例２における空調座席装置の構成を示す断面側面図である。本実施例は、座席シート１１、シートバック３０および足載せ台４０を互いに独立して別体に構成した実施例である。図１の各構成要素に対応する部分には同一符号を付して説明を省略する。本実施例においては、座席シート１１、シートバック３０および足載せ台４０の各々に独立して空調ユニットが設けられている。
座席シート１１には送風機５１が設けられ、送風機５１からの空気が除湿部１６で除湿され、空調運転時にはダンパ１７で開放された送風路１８から複数の通風路２３を通って座席シート１１の噴出口２４から放出される。再生運転時にはダンパ１７で送風路１８を閉じ、排気風路２０を開放した状態で、除湿部１６の水分吸着剤１４をヒータ１５で加熱して水分吸着剤１４に吸着されている水分を送風機５１からの空気とともに排気風路２０に放出する。
シートバック３０には送風機５２が設けられ、送風機５２からの空気が除湿部５６で除湿され、空調運転時にはダンパ５８で開放された送風路１９から複数の通風路３３を通ってシートバック３０の噴出口３４から放出される。再生運転時にはダンパ５８で送風路１９を閉じ、排気風路５９を開放した状態で、除湿部５６の水分吸着剤５７を加熱して水分吸着剤５７に吸着されている水蒸気を送風機５２からの空気とともに排気風路５９に放出する。
足載せ台４０には送風機５３が設けられ、送風機５３からの空気が除湿部６１で除湿され、空調運転時にはダンパ６２で開放された送風路４５から複数の通風路４３を通って足載せ台４０の噴出口４４から放出される。再生運転時にはダンパ６２で送風路４５を閉じ、ダンパ６２で排気風路６３を開放した状態で、除湿部６１の水分吸着剤６４をヒータ６５で加熱して水分吸着剤６４に吸着されている水分を送風機５３からの空気とともに排気風路６３に放出する。
座席シート１１、シートバック３０および足載せ台４０のその他の構成および空気の放出による作用効果は実施例１と同様である。
【００１５】
本実施例は、座席シート１１、シートバック３０および足載せ台４０が互いに独立して別体に構成されており、それぞれに独立して空調ユニットが設けられている。したがって、座席を構成する座席シート１１、シートバック３０および足載せ台４０を個別に交換したり、メンテナンスをすることができる。また、足載せ台４０を自動車の座席部からはずしてオフィスや自宅、あるいは野外に持ち運ぶことにより、自動車の座席における足載せ台以外にオフィスや自宅内の椅子、あるいは野外活動時の足載せ台として兼用することができる。
【実施例３】
【００１６】
図５は本発明の実施例３における空調座席装置の構成を示す断面側面図、図６は同装置の足載せ台の斜視図である。図４と同一の部分には同一符号を付して説明を省略する。本実施例においては、座席シート１１およびシートバック３０は図４の構成と同一であり、足載せ台４０のみ図４の構成と異なっている。
足載せ台４０には幅方向に延びる帯状の通風路７１が形成されており、通風路７１の出口付近には図６に示すように帯状の通風路７１を所定間隔で覆うように空気ガイド７２が設けられている。また、足載せ台４０の上表面には帯状の通風路７１から足載せ台４０の表面に延びる溝７３が形成されている。
【００１７】
送風機５３からの空気は除湿部６１で除湿され、空調運転時にはダンパ６２で開放された送風路４５から帯状の通風路７１を通って足載せ台４０の表面に噴出される。噴射された空気は空気ガイド７２により進路を足載せ台４０の表面に双方向に曲げられ、足載せ台４０の表面の溝７３内を進行する。この足載せ台４０の表面に沿って進行する空気流が足に吹き付けられる。
再生運転時にはダンパ６２で送風路４５を閉じ、排気風路６３を開放した状態で、除湿部６１の水分吸着剤６４を加熱して水分吸着剤６４に吸着されている水分を送風機５３からの空気とともに排気風路６３に放出する。
座席シート１１、シートバック３０および足載せ台４０のその他の構成および空気の放出による作用効果は実施例１と同様である。
【００１８】
実施例１および実施例２の足載せ台４０においては、足載せ台４０に載せた足に対して空気流が下から吹き出しており、足に対して指圧効果を有している。本実施例においては足載せ台４０に載せた足に対して空気流が足の面に沿って吹き出しているので、足に対してマッサージ効果を有する。
【実施例４】
【００１９】
図７は本発明の実施例４における空調座席装置の構成を示す断面側面図である。図４と同一の部分には同一符号を付して説明を省略する。本実施例においては、座席シート１１およびシートバック３０は図４の構成と同一である。また、足載せ台４０は、送風機５３の吸い込み口を足載せ台４０の足載せ面である表面に設けた点を除いて図４と同一である。すなわち、送風機５３から送風される空気は図４と同様に除湿部６１で除湿した後、空調運転時にはダンパ６２で開放された送風路４５から複数の通風路４３を通って足載せ台４０の噴出口４４から放出させる構成とする。一方、送風機５３への吸い込み空気は、足載せ台４０に図６で説明した帯状の通風路７１と同様の構成の吸い込み風路７５および図６で説明した空気ガイド７２と同様の構成の空気ガイド７６を設け、足載せ台４０の噴出口４４から放出された空気を空気ガイド７６で吸い込み風路７５に導き、吸い込み風路７５で吸い込んで循環させるようにする。
座席シート１１、シートバック３０および足載せ台４０のその他の構成および空気の放出による作用効果は実施例１と同様である。
【００２０】
本実施例においては、足載せ台４０の噴出口４４から放出された空気を足載せ台４０の周りで循環させているので、足の臭いや汗などを室内に放出することなく解消することができる。
なお、白金や酸化鉄、酸化銅、酸化マンガン、酸化コバルトなどの遷移金属の酸化物などの触媒を加熱手段の表面に担持させ、足の臭気などの揮発性有機化合物を含んだ空気を送風機で吸引し、加熱手段を通過する際加熱手段で加熱された触媒で酸化分解しても同様の効果が得られる。
【実施例５】
【００２１】
図８は本発明の実施例５における空調座席装置の構成を示す断面側面図である。図１と同一部分には同一符号を付して説明を省略する。本実施例は、送風路１３内に送風機１２から送風される空気を冷却または加熱する熱交換器８０を設ける。熱交換器８０の構成は特に限定されず、プレートフィン型熱交換器やペルチェ素子を利用したもの、蓄熱装置利用したものなど任意のものを使用することができる。その他の構成は図１と同一である。
一般に、除湿部１６で除湿された空気は除湿時に吸着熱により４０℃以上の温度になる。この温度の空気は夏季に座席シート１１、シートバック３０および足載せ台４０から噴出させるには温度が高すぎる。そこで熱交換器８０で熱交換してたとえば３７℃以下に冷却して送風路１８、１９へ供給するようにする。送風される風の温度が３７℃以下であれば、夏季においても乗員は冷却感を感じ、汗や蒸れを解消することができる。
なお、冬季であれば、暖房効果を持たせるために除湿された空気を熱交換器８０で加温すればよい。
なお、熱交換器８０は図４、図５および図７で説明した座席シート１１、シートバック３０および足載せ台４０が分離した構成の実施例にも適用することができる。この場合は、座席シート１１、シートバック３０および足載せ台４０の各々に独立してそれぞれの送風機５１、５２、５３からの送風路に設ければよい。
【実施例６】
【００２２】
実施例５では、送風路１３内に熱交換器８０を設けたが、本実施例では熱交換器８０の代わりにマイナスイオン発生装置を設ける。マイナスイオンは人間の気分を壮快にし、リラックスさせることが知られている。そこで、本実施例ではマイナスイオン発生装置により座席シート１１、シートバック３０および足載せ台４０から噴出させる空気にマイナスイオンを付加する。これにより乗員は自動車の運転を良好な身体状態で行うことができる。
【産業上の利用可能性】
【００２３】
本発明による空調座席装置は、自動車やオフィス、劇場、家庭内などで使用される椅子、屋外活動用の椅子などの空調座席装置として有用である。通常、自動車用の座席装置は夏季の駐車時に車内および座席シートが高温になるので、乗員は座席に座ったときに強い不快感を感じるが、本発明による空調座席装置によれば、そのような場合における不快感を短時間で解消させることが可能であるので、特に、自動車用の空調座席装置としてきわめて有用である。
【図面の簡単な説明】
【００２４】
【図１】本発明の実施例１における空調座席装置の空調運転状態の構成を示す断面側面図
【図２】本発明の実施例１における空調座席装置の除湿部の再生運転状態での構成を示す断面側面図
【図３】本発明の実施例１における空調座席装置の除湿部の一例を示す斜視図
【図４】本発明の実施例２における空調座席装置の構成を示す断面側面図
【図５】本発明の実施例３における空調座席装置の構成を示す断面側面図
【図６】本発明の実施例３における空調座席装置の足載せ台の斜視図
【図７】本発明の実施例４における空調座席装置の構成を示す断面側面図
【図８】本発明の実施例５における空調座席装置の構成を示す断面側面図
【符号の説明】
【００２５】
１１  座席シート
１２  送風機
１３、１８、１９、４５  送風路
１４  水分吸着剤
１５  ヒータ
１６  除湿部
１７  ダンパ
２０  排気風路
２１、３１、４１  表皮
２２、３２、４２  パッド部
２３、３３、４３  通風路
２４、３４、４４  噴出口
２５、３５、４６  ヒータ
３０  シートバック
４０  足載せ台
４７  脱臭装置
５１、５２、５３  送風機
５６  除湿部
５７  水分吸着剤
５８  ダンパ
５９  排気風路
６１  除湿部
６２  ダンパ
６３  排気風路
６４  水分吸着剤
７１  通風路
７２  空気ガイド
７３  溝
７５  吸い込み風路
７６  空気ガイド
８０  熱交換器
【図１】
2005253705.tif 000003
【図２】
2005253705.tif 000004
【図３】
2005253705.tif 000005
【図４】
2005253705.tif 000006
【図５】
2005253705.tif 000007
【図６】
2005253705.tif 000008
【図７】
2005253705.tif 000009
【図８】
2005253705.tif 000010